(57)【特許請求の範囲】
【請求項１】
複数の施術用のコンテンツファイルを記録する記録手段を備え、前記記録手段により記録された前記コンテンツファイルを再生し、再生した前記コンテンツファイルを美容機器に出力して、所定の施術を行うコンテンツ再生装置であって、
ユーザにより入力された施術条件に基づいて施術内容を設定する施術設定手段と、
前記施術設定手段により設定された施術内容に対応する前記コンテンツファイルを前記記録手段から取得するコンテンツファイル取得手段と、
前記コンテンツファイル取得手段により得られる前記コンテンツファイル、又は前記ユーザの指示に応じて編集された前記コンテンツファイルを再生、出力する編集・出力手段とを有し、
前記編集・出力手段は、
前記コンテンツファイルから得られる施術用信号をコンテンツ出力端子から出力し、前記コンテンツ出力端子に前記美容機器が接続され、前記施術設定手段により設定された施術を行い、
前記コンテンツファイルは、少なくとも１つのオーディオファイルを含み、
前記コンテンツファイル取得手段により取得された前記コンテンツファイルが、前記オーディオファイルでない場合、前記コンテンツファイルを前記オーディオファイルに変換するファイル変換手段を有することを特徴とするコンテンツ再生装置。
【請求項２】
前記コンテンツファイル取得手段は、
前記記録手段に前記施術用信号を含むコンテンツファイルが存在しない場合に、予め設定されたコンテンツ提供サーバに通信ネットワークを介してアクセスし、前記施術用信号を含むコンテンツファイルを前記コンテンツ提供サーバから取得することを特徴とする請求項１に記載のコンテンツ再生装置。
【請求項３】
前記編集・出力手段は、
前記オーディオファイルから得られる前記施術用信号を、前記コンテンツ出力端子に接続された前記美容機器から出力させることを特徴とする請求項１又は２に記載のコンテンツ再生装置。
【請求項４】
前記コンテンツ出力端子は、
Ｄｏｃｋ端子を含むことを特徴とする請求項１乃至３のいずれか一項に記載のコンテンツ再生装置。
【請求項５】
前記編集・出力手段は、
前記コンテンツファイルの再生時間、出力強度、再生速度、波形の変更、周波数の変更、再生出力されるコンテンツファイルの数、及び複数のコンテンツファイルに対する再生出力順序のうち少なくとも１つを編集することを特徴とする請求項１乃至４のいずれか一項に記載のコンテンツ再生装置。
【請求項６】
前記ユーザの肌状態を取得し、取得した前記ユーザの肌状態から、前記ユーザの肌診断を行う診断手段を有することを特徴とする請求項１乃至５のいずれか一項に記載のコンテンツ再生装置。
【請求項７】
前記オーディオファイルの波形を昇圧及び定電流化する昇圧・定電流装置を有することを特徴とする請求項１乃至６のいずれか一項に記載のコンテンツ再生装置。
【請求項８】
前記編集・出力手段は、
前記オーディオファイルの波形と、所定の楽曲の波形とが合成された波形を出力することを特徴とする請求項１乃至７のいずれか一項に記載のコンテンツ再生装置。
【請求項９】
複数の施術用のコンテンツファイルを記録する記録手段を備え、前記記録手段により記録された前記コンテンツファイルを再生し、再生した前記コンテンツファイルを美容機器に出力して、所定の施術を行うコンテンツ再生装置により実行されるコンテンツ再生方法であって、
ユーザにより入力された施術条件に基づいて施術内容を設定する施術設定手順と、
前記施術設定手順により設定された施術内容に対応する前記コンテンツファイルを前記記録手段から取得するコンテンツファイル取得手順と、
前記コンテンツファイル取得手順により得られる前記コンテンツファイル、又は前記ユーザの指示に応じて編集された前記コンテンツファイルを再生、出力する編集・出力手順とを有し、
前記編集・出力手順は、
前記コンテンツファイルから得られる施術用信号をコンテンツ出力端子から出力し、前記コンテンツ出力端子に前記美容機器が接続され、接続された前記美容機器から、前記施術設定手順により設定された施術内容に対応する前記施術用信号が出力され、
前記コンテンツファイルは、少なくとも１つのオーディオファイルを含み、
前記コンテンツファイル取得手順により取得された前記コンテンツファイルが、前記オーディオファイルでない場合、前記コンテンツファイルを前記オーディオファイルに変換するファイル変換手順を有することを特徴とするコンテンツ再生方法。
【請求項１０】
前記コンテンツファイル取得手順は、
前記記録手段に前記施術用信号を含むコンテンツファイルが存在しない場合に、予め設定されたコンテンツ提供サーバに通信ネットワークを介してアクセスし、前記施術用信号を含むコンテンツファイルを前記コンテンツ提供サーバから取得することを特徴とする請求項９に記載のコンテンツ再生方法。
【請求項１１】
前記編集・出力手順は、
前記オーディオファイルから得られる前記施術用信号を、前記コンテンツ出力端子に接続された前記美容機器から出力させることを特徴とする請求項９又は１０に記載のコンテンツ再生方法。
【請求項１２】
前記コンテンツ出力端子は、
Ｄｏｃｋ端子を含むことを特徴とする請求項９乃至１１のいずれか一項に記載のコンテンツ再生方法。
【請求項１３】
前記編集・出力手順は、
前記コンテンツファイルの再生時間、出力強度、再生速度、波形の変更、周波数の変更、再生出力されるコンテンツファイルの数、及び複数のコンテンツファイルに対する再生出力順序のうち少なくとも１つを編集することを特徴とする請求項９乃至１２のいずれか一項に記載のコンテンツ再生方法。
【請求項１４】
前記ユーザの肌状態を取得し、取得した前記ユーザの肌状態から、前記ユーザの肌診断を行う診断手順を有することを特徴とする請求項９乃至１３のいずれか一項に記載のコンテンツ再生方法。
【請求項１５】
前記オーディオファイルの波形を昇圧及び定電流化する昇圧・定電流手順を有することを特徴とする請求項９乃至１４のいずれか一項に記載のコンテンツ再生方法。
【請求項１６】
前記編集・出力手順は、
前記オーディオファイルの波形と、所定の楽曲の波形とが合成された波形を出力することを特徴とする請求項９乃至１５のいずれか一項に記載のコンテンツ再生方法。
【請求項１７】
複数の施術用のコンテンツファイルを記録する記録手段により記録された前記コンテンツファイルを再生し、再生した前記コンテンツファイルを美容機器に出力して、所定の施術を行うコンテンツ再生プログラムであって、
コンピュータを、
ユーザにより入力された施術条件に基づいて施術内容を設定する施術設定手段、
前記施術設定手段により設定された施術内容に対応する前記コンテンツファイルを前記記録手段から取得するコンテンツファイル取得手段、及び、
前記コンテンツファイル取得手段により得られる前記コンテンツファイル、又は前記ユーザの指示に応じて編集された前記コンテンツファイルを再生、出力する編集・出力手段として機能させ、
前記編集・出力手段は、
前記コンテンツファイルから得られる施術用信号をコンテンツ出力端子から出力し、前記コンテンツ出力端子に前記美容機器が接続され、前記施術設定手段により設定された施術を行い、
前記コンテンツファイルは、少なくとも１つのオーディオファイルを含み、
前記コンテンツファイル取得手段により取得された前記コンテンツファイルが、前記オーディオファイルでない場合、前記コンテンツファイルを前記オーディオファイルに変換するファイル変換手段を有することを特徴とするコンテンツ再生プログラム。
【請求項１８】
前記コンテンツファイル取得手段は、
前記記録手段に前記施術用信号を含むコンテンツファイルが存在しない場合に、予め設定されたコンテンツ提供サーバに通信ネットワークを介してアクセスし、前記施術用信号を含むコンテンツファイルを前記コンテンツ提供サーバから取得することを特徴とする請求項１７に記載のコンテンツ再生プログラム。
【請求項１９】
前記編集・出力手段は、
前記オーディオファイルから得られる前記施術用信号を、前記コンテンツ出力端子に接続された前記美容機器から出力させることを特徴とする請求項１７又は１８に記載のコンテンツ再生プログラム。
【請求項２０】
前記コンテンツ出力端子は、
Ｄｏｃｋ端子を含むことを特徴とする請求項１７乃至１９のいずれか一項に記載のコンテンツ再生プログラム。
【請求項２１】
前記編集・出力手段は、
前記コンテンツファイルの再生時間、出力強度、再生速度、波形の変更、周波数の変更、再生出力されるコンテンツファイルの数、及び複数のコンテンツファイルに対する再生出力順序のうち少なくとも１つを編集することを特徴とする請求項１７乃至２０のいずれか一項に記載のコンテンツ再生プログラム。
【請求項２２】
前記ユーザの肌状態を取得し、取得した前記ユーザの肌状態から、前記ユーザの肌診断を行う診断手段を有することを特徴とする請求項１７乃至２１のいずれか一項に記載のコンテンツ再生プログラム。
【請求項２３】
前記オーディオファイルの波形を昇圧及び定電流化する昇圧・定電流手段を有することを特徴とする請求項１７乃至２２のいずれか一項に記載のコンテンツ再生プログラム。
【請求項２４】
前記編集・出力手段は、前記オーディオファイルの波形と、所定の楽曲の波形とが合成された波形を出力することを特徴とする請求項１７乃至２３のいずれか一項に記載のコンテンツ再生プログラム。
【発明の詳細な説明】
【技術分野】
【０００１】
本発明は、コンテンツ再生装置、コンテンツ再生方法、及びコンテンツ再生プログラムに関する。
【背景技術】
【０００２】
従来では、皮膚に微弱な電流を流すことで、例えば水溶性の有効成分を皮膚内に効果的に導入するイオン導入法等の美容方法が知られている。皮膚の角質層には、異物の侵入を防ぐバリア機能があるため、単に化粧水を皮膚に塗布しても化粧水に配合される水溶性のビタミンＣ等は、このバリア機能により浸透を阻止され、皮膚の深層まで浸透されにくい。
【０００３】
しかしながら、例えばイオン導入法によれば、電気の力を利用することにより、上述した化粧水中の有効成分を、バリア層を超えて皮膚の深層まで浸透させることができる。
【０００４】
このようなイオン導入法を用いた美容施術を受けるためには、通常、美容クリニック等にて施術してもらうか、又はイオン導入を行うための専用の美容機器を購入して施術を受ける必要があった（例えば、特許文献１参照）。
【０００５】
なお、イオン導入の効果を向上させるために、用途に応じてイオン導入器から出力するパルス波形をコントロールする方法が知られている（例えば、特許文献２参照）。
【先行技術文献】
【特許文献】
【０００６】
【特許文献１】特許第４２１７９８４号公報
【特許文献２】特開２００４−２０９２０５号公報
【発明の概要】
【発明が解決しようとする課題】
【０００７】
しかしながら、例えば美容クリニックを利用する場合には、高額なお金や美容クリニックに通う時間が必要となり、例えば上述した特許文献１に記載の専用の美容機器等を購入するためには、美容機器を購入するための値段が高くつき、このようなお金や時間をかけなければ、上述したイオン導入等の美容施術を行うことができなかった。また、例えば上述した特許文献２に記載されている施術に用いるパルス波形は、例えばユーザの皮膚の状態等に応じて簡便に変更、調整することができないという問題があった。
【０００８】
本発明は、上記の課題に鑑みてなされたものであり、携帯電話、ＰＣ（Ｐｅｒｓｏｎａｌ  Ｃｏｍｐｕｔｅｒ）、ＰＤ（Ｐｏｒｔａｂｌｅ  Ｄｅｖｉｃｅ）、ＰＤＡ（Ｐｅｒｓｏｎａｌ  Ｄａｔａ  Ａｓｓｉｓｔａｎｔ）、ゲーム機等の一般に普及しているコンテンツ再生装置を利用して、より簡単に美容施術を行うコンテンツ再生装置、コンテンツ再生方法、コンテンツ再生プログラムを提供することを目的とする。
【課題を解決するための手段】
【０００９】
本発明は、上記目的を達成するために、複数の施術用のコンテンツファイルを記録する記録手段を備え、前記記録手段により記録された前記コンテンツファイルを再生し、再生した前記コンテンツファイルを美容機器に出力して、所定の施術を行うコンテンツ再生装置であって、ユーザにより入力された施術条件に基づいて施術内容を設定する施術設定手段と、前記施術設定手段により設定された施術内容に対応する前記コンテンツファイルを前記記録手段から取得するコンテンツファイル取得手段と、前記コンテンツファイル取得手段により得られる前記コンテンツファイル、又は前記ユーザの指示に応じて編集された前記コンテンツファイルを再生、出力する編集・出力手段とを有し、前記編集・出力手段は、前記コンテンツファイルから得られる施術用信号をコンテンツ出力端子から出力し、前記コンテンツ出力端子に前記美容機器が接続され、前記施術設定手段により設定された施術を行い、前記コンテンツファイルは、少なくとも１つのオーディオファイルを含み、前記コンテンツファイル取得手段により取得された前記コンテンツファイルが、前記オーディオファイルでない場合、前記コンテンツファイルを前記オーディオファイルに変換するファイル変換手段を有する。
【００１０】
また、本発明は、複数の施術用のコンテンツファイルを記録する記録手段を備え、前記記録手段により記録された前記コンテンツファイルを再生し、再生した前記コンテンツファイルを美容機器に出力して、所定の施術を行うコンテンツ再生装置により実行されるコンテンツ再生方法であって、ユーザにより入力された施術条件に基づいて施術内容を設定する施術設定手順と、前記施術設定手順により設定された施術内容に対応する前記コンテンツファイルを前記記録手段から取得するコンテンツファイル取得手順と、前記コンテンツファイル取得手順により得られる前記コンテンツファイル、又は前記ユーザの指示に応じて編集された前記コンテンツファイルを再生、出力する編集・出力手順とを有し、前記編集・出力手順は、前記コンテンツファイルから得られる施術用信号をコンテンツ出力端子から出力し、前記コンテンツ出力端子に前記美容機器が接続され、接続された前記美容機器から、前記施術設定手順により設定された施術内容に対応する前記施術用信号が出力され、前記コンテンツファイルは、少なくとも１つのオーディオファイルを含み、前記コンテンツファイル取得手順により取得された前記コンテンツファイルが、前記オーディオファイルでない場合、前記コンテンツファイルを前記オーディオファイルに変換するファイル変換手順を有する。
【００１１】
また、本発明は、複数の施術用のコンテンツファイルを記録する記録手段により記録された前記コンテンツファイルを再生し、再生した前記コンテンツファイルを美容機器に出力して、所定の施術を行うコンテンツ再生プログラムであって、コンピュータを、ユーザにより入力された施術条件に基づいて施術内容を設定する施術設定手段、前記施術設定手段により設定された施術内容に対応する前記コンテンツファイルを前記記録手段から取得するコンテンツファイル取得手段、及び、前記コンテンツファイル取得手段により得られる前記コンテンツファイル、又は前記ユーザの指示に応じて編集された前記コンテンツファイルを再生、出力する編集・出力手段として機能させ、前記編集・出力手段は、前記コンテンツファイルから得られる施術用信号をコンテンツ出力端子から出力し、前記コンテンツ出力端子に前記美容機器が接続され、前記施術設定手段により設定された施術を行い、前記コンテンツファイルは、少なくとも１つのオーディオファイルを含み、前記コンテンツファイル取得手段により取得された前記コンテンツファイルが、前記オーディオファイルでない場合、前記コンテンツファイルを前記オーディオファイルに変換するファイル変換手段を有する。
【発明の効果】
【００１２】
本発明によれば、一般に普及しているコンテンツ再生装置を利用して、より簡単に美容施術を行うことが可能である。
【図面の簡単な説明】
【００１３】
【図１】本実施形態に係るコンテンツ再生システムの全体構成を示す図である。
【図２】コンテンツ再生装置の機能構成の一例を示す図である。
【図３】コンテンツ再生装置を実現する一例のハードウェア構成図である。
【図４】本実施形態に係るコンテンツ再生処理の流れを示すフローチャートである。
【図５】コンテンツ再生装置に接続された美容機器の一例を示す図である。
【図６】美容施術のための電気信号を説明するための図である。
【図７】オーディオファイルの出力信号について説明するための図である。
【図８】オーディオファイルの作成手順の一例を説明するための図である。
【図９】画面生成手段により生成された端末装置の表示画面の一例を示す図である。
【図１０】ｉｎ  ｖｉｔｒｏによるイオン導入実験の概略を示す図である。
【図１１】プラスイオンに調整されたトラネキサム酸（ＴＡ）の累積透過量及び皮内濃度を示す図である。
【図１２】昇圧・定電流装置を設けた場合のイオン導入実験の概略を示す図である。
【図１３】トラネキサム酸（ＴＡ）の角層内濃度を示す図である。
【図１４】昇圧・定電流装置を用いてイオン導入を実施する場合のイメージ図である。
【図１５】端末装置から出力される波形信号を昇圧及び定電流化する昇圧・定電流装置の一例を示す図である。
【図１６】イヤホン端子に美容機器を設けて実施したイオン導入の結果を示す図である。
【図１７】Ｄｏｃｋ端子を用いた実施例を示す図である。
【図１８】イオン導入施術と同時に音楽を再生する方法を説明するための図である。
【発明を実施するための形態】
【００１４】
以下、本発明の実施の形態について詳細に説明する。
【００１５】
＜コンテンツ再生システム＞
図１は、本実施形態に係るコンテンツ再生システムの全体構成を示す図である。図１に示すように、本実施形態に係るコンテンツ再生システム１０は、例えばインターネット等の通信ネットワークに接続されたコンテンツ提供サーバ２０と、コンテンツ再生装置としての端末装置３０〜３３とから構成される。
【００１６】
コンテンツ提供サーバ２０には、本実施形態で用いられる施術内容に対応した複数のコンテンツファイル（データ）が格納されている。なお、コンテンツファイルには、例えばオーディオファイル（音楽ファイル）、動画ファイル、画像ファイル、各種テキストファイル（例えば、ｃｓｖファイルやｔｘｔファイル等）等が含まれる。
【００１７】
端末装置３０〜３３は、施術内容に対応するコンテンツファイルを再生して、例えばイオン導入等の美容施術を行うコンテンツ再生装置である。
【００１８】
端末装置３０〜３２は、通信ネットワークを介してコンテンツ提供サーバ２０から施術内容に対応したコンテンツファイルをダウンロードする。
【００１９】
端末装置３０は、例えばｉＰｈｏｎｅ（登録商標）、スマートフォン等の携帯電話、ＰＤＡ（Ｐｅｒｓｏｎａｌ  Ｄａｔａ  Ａｓｓｉｓｔａｎｔ）等の情報通信端末であり、通信ネットワークを介してコンテンツファイルを直接ダウンロードすることができる。
【００２０】
端末装置３１は、通信ネットワークを介してＰＣ３４経由にてコンテンツファイルを取得する、例えばｉＰｏｄ（登録商標）等のＰＤ（Ｐｏｒｔａｂｌｅ  Ｄｅｖｉｃｅ）である。端末装置３１は、ＰＣ３４とケーブル等で接続され、ＰＣ３４から施術内容に対応したコンテンツファイルを取得することができる。
【００２１】
端末装置３２は、通信ネットワークを介して直接コンテンツファイルを取得するデスクトップＰＣやノートＰＣ等である。
【００２２】
端末装置３３は、通信ネットワークを介することなく、例えばＵＳＢ（Ｕｎｉｖｅｒｓａｌ  Ｓｅｒｉａｌ  Ｂｕｓ）、ＣＤ−ＲＯＭ、ＤＶＤ、ＳＤカード等の記録媒体４０からコンテンツファイルをインストールするゲーム機等である。
【００２３】
上述したシステム構成により、本実施形態における端末装置３０〜３３は、コンテンツ提供サーバ２０に蓄積された多種のコンテンツファイル群から施術内容に対応したコンテンツファイルを取得する。端末装置３０〜３３は、例えば端末装置毎に設定される美容施術の用途別や、ユーザ（端末装置）の識別情報等に基づいて、対応するコンテンツファイルを選択的に取得する。
【００２４】
なお、端末装置３０〜３３が既に対応するコンテンツファイルを有している場合には、上述のようにコンテンツ提供サーバ２０からコンテンツファイルを取得しなくても良い。
【００２５】
＜コンテンツ再生装置の機能構成＞
次に、図２を用いて、上述した端末装置３０〜３３に示されるコンテンツ再生装置の機能構成について説明する。図２は、コンテンツ再生装置の機能構成の一例を示す図である。
【００２６】
図２に示すように、端末装置３０〜３３は、入力手段５０と、出力手段５１と、記録手段５２と、施術内容設定手段５３と、コンテンツファイル取得手段５４と、ファイル変換手段５５と、編集・出力手段５６と、診断手段５７と、画面生成手段５８と、通信インターフェース手段５９と、制御手段６０とを有するように構成される。
【００２７】
入力手段５０は、例えば携帯電話の操作キーや、ＰＣ等のキーボードやマウス等のポインティングデバイス等からなり、ユーザ等からの各種指示の開始、終了等の入力を受け付ける。また、入力手段５０は、例えばマイク等の音声入力端子から構成されても良い。
【００２８】
出力手段５１は、例えばディスプレイ等の表示画面からなり、入力手段５０により入力された内容や、入力内容に基づいて実行された内容を表示する。また、出力手段５１は、スピーカーやイヤホン等に音声を出力するための音声出力端子（オーディオ端子、イヤホン端子）等からなり、音声等を出力する。なお、音声出力端子としては、例えば、外付けのスピーカー等に音声を出力することが可能な端末装置（例えばｉＰｈｏｎｅやｉＰｏｄ等）に備えられているＤｏｃｋ端子や、ＰＣに備えられているＵＳＢ端子等を含めることができる。
【００２９】
これにより、例えば、オーディオ端子、Ｄｏｃｋ端子、及びＵＳＢ端子のうち、一又は複数の音声出力端子を用いて、後述する美容施術を行うことが可能となる。また、複数の音声出力端子を用いることにより、異なる美容施術を並行して行うことも可能となる。
【００３０】
また、上述した各種指示を受け付ける入力手段５０と、入力された内容を表示する出力手段５１とは、例えばタッチパネル等によって構成されても良い。
【００３１】
記録手段５２は、コンテンツ提供サーバ２０等からダウンロードしたコンテンツファイルや、コンテンツ提供サーバ２０等にアクセスするためのＵＲＬ等のアドレス情報、ユーザ情報、例えばイオン導入等の設定された施術内容や、施術時間、後述する診断手段による診断結果等を記録する。また、記録手段５２は、必要に応じて記録されている各種データを読み出すことができる。
【００３２】
施術内容設定手段５３は、ユーザ等によって入力手段５０から入力された施術条件に基づいて施術内容を設定する。
【００３３】
コンテンツファイル取得手段５４は、記録手段５２から施術内容設定手段５３により設定された施術内容に対応するコンテンツファイルを取得する。本実施形態では、コンテンツファイルとして、例えば、「ＹＡＭＡＨＡ  Ｗａｖｅ  Ｅｄｉｔｏｒ  ＴＷＥ  Ｖ２．３．１」等によって作成されたｗａｖ（ＷＡＶＥ）ファイル、ＡＩＦＦ、ｍｐ３、ｍｐ４、ＷＭＡ、ＡＡＣ、ＲｅａｌＡｕｄｉｏ、ＭＩＤＩ等のオーディオファイルのうち、少なくとも１つを用いる。
【００３４】
コンテンツファイル取得手段５４は、記録手段５２に施術内容設定手段５３により設定された施術内容に対応するコンテンツファイルが存在しない場合、コンテンツ提供サーバ２０又はＰＣ３４にアクセスし、設定された施術内容に対応するコンテンツファイルを取得する。また、コンテンツファイル取得手段５４は、記録媒体４０から設定された施術内容に対応するコンテンツファイルを取得しても良い。
【００３５】
コンテンツファイル取得手段５４は、コンテンツ提供サーバ２０等から、上述したｗａｖファイル等のオーディオファイルや、例えばｃｓｖファイル形式やｔｘｔファイル形式等によって作成されたテキストデータを取得することができる。
【００３６】
ファイル変換手段５５は、コンテンツファイル取得手段５４によって取得されたコンテンツファイルがｃｓｖファイルやｔｘｔファイル等のオーディオファイルでないコンテンツファイルである場合には、例えばｗａｖファイル等のオーディオファイルに変換する。
【００３７】
更に、ファイル変換手段５５は、コンテンツファイル取得手段５４によって取得されたコンテンツファイルが映像ファイル等である場合には、映像ファイル等の中から音声信号のみ抽出し、抽出された音声信号を所定のオーディオファイルに変換することもできる。
【００３８】
このように、コンテンツファイル取得手段５４によって取得されたコンテンツファイルが、オーディオファイル以外のコンテンツファイルで作成された場合でも、ファイル変換手段５５によりオーディオファイルに変換して用いることが可能である。
【００３９】
なお、ファイル変換手段５５は、オーディオファイルに対しても、その端末装置３０〜３３で再生可能なファイル形式（例えば、ｗａｖファイル形式からｍｐ４形式等）に変換することができる。
【００４０】
編集・出力手段５６は、コンテンツファイル取得手段５４によって取得されたオーディオファイル又はファイル変換手段５５によって変換されたオーディオファイルを再生、出力する。また、編集・出力手段５６は、ユーザの指示に応じて、取得されたオーディオファイル又は変換されたオーディオファイルのデータ内容を書き換える編集を行い、編集したコンテンツファイルを再生、出力する。
【００４１】
編集・出力手段５６は、上述したオーディオファイルから得られる出力信号を、端末装置３０〜３３の音声出力端子に接続された美容機器から出力させる。なお、施術内容に対応して作成されるオーディオファイルの出力信号の一例については後述する。
【００４２】
本実施形態では、このように端末装置３０〜３３に接続された美容機器から出力される出力信号を用いて、ユーザ（例えば被施術者等）に対してイオン導入等の美容施術を行う。
【００４３】
なお、編集・出力手段５６は、上述したオーディオファイルのデータ内容を書き換える編集内容として、例えばオーディオファイルの再生時間、出力強度、再生速度、波形の変更等の編集、調整を行う。
【００４４】
ここで、波形の変更とは、例えば矩形波、サイン波といった波の種類、Ｄｕｔｙ（デューティー）比、周波数、振幅、極性等の変更を含む。例えば、イオン導入の施術を行う場合には、導入したい薬剤の極性に対応させた極性の変更を行うため、プラス極から導入する薬剤の場合、プラス極側に振れた波形を用いる。本実施形態では、このように美容施術に応じて最適な波形に編集して使用することが可能となる。
【００４５】
更に、編集・出力手段５６は、再生出力されるオーディオファイルの数、複数のオーディオファイルの再生出力順序等を変更、調整する。なお、編集・出力手段５６は、施術内容の変更、用途の異なる複数のオーディオファイルの組み合わせの変更等を含めたオーディオファイルの編集を行うことも可能である。
【００４６】
また、編集・出力手段５６は、施術内容に対応して作成されるオーディオファイルの波形と、所定の楽曲又は音声案内の波形とが合成された波形を出力しても良い。
【００４７】
更に、本実施形態では、オーディオファイルを再生する際、予め他の装置からダウンロードされ、端末装置３０〜３３に蓄積されたオーディオファイルを再生しているが、本発明においてはこれに限定されるものではなく、例えば他の装置から施術用のオーディオファイルをストリーミング再生することで、美容機器に対応する出力信号を送信しても良い。
【００４８】
診断手段５７は、例えばユーザ等の施術された肌（皮膚）の状態等を取得して、記録手段５２に記録されたユーザの施術前の肌の状態等と比較して施術の結果等を診断する。
【００４９】
本実施形態において、例えば上述したオーディオファイルから得られる出力信号を定電圧方式により制御した場合には、出力電圧が所定の電圧値となるように動作するため、例えば美容機器を当てる部位によりユーザの皮膚の抵抗値が異なると、その皮膚の抵抗値は電流の変化として表れる。
【００５０】
ここで、皮膚の抵抗値やキャパシタンスは、肌の水分量と関係する。したがって、診断手段５７は、例えば既存のマイク端子である音声入力端子等に接続された所定の測定機器等を用いて、上述した電流の動きを検出し、そこから皮膚の抵抗値やキャパシタンスを求めることで、肌の状態を診断することができる。
【００５１】
なお、診断手段５７は、ユーザ等に対して施術された肌の状態等を取得した後、コンテンツ提供サーバ２０に取得した肌の状態等を送信し、コンテンツ提供サーバ２０から施術結果を取得しても良い。
【００５２】
画面生成手段５８は、例えばユーザに施術条件を入力させるためのメニュー画面や、施術内容に対応するコンテンツファイルを選択させるための表示画面や、ダウンロードを指示するための表示画面や、施術結果や診断結果等を表示する画面等を生成する。
【００５３】
通信インターフェース手段６０は、コンテンツ提供サーバ２０等からコンテンツファイルをダウンロードする。
【００５４】
制御手段６０は、コンテンツ再生装置である端末装置３０〜３３の各構成部全体の制御を行う。例えば、制御手段６０は、ユーザ等からの指示等に基づいて、コンテンツファイル取得手段５４に施術内容に対応するコンテンツファイルを取得させ、ファイル変換手段５５により所定のファイルをオーディオファイルに変換させ、編集・出力手段５６によりオーディオファイルを編集・出力させる等の各制御を行う。
【００５５】
＜コンテンツ再生装置のハードウェア構成＞
次に、図３を用いて、コンテンツ再生装置である端末装置３０〜３３を実現するハードウェア構成について説明する。図３は、コンテンツ再生装置を実現する一例のハードウェア構成図である。
【００５６】
図３に示すように、コンテンツ再生装置は、それぞれバスＢで相互に接続されている入力装置６１と、出力装置６２と、ドライブ装置６３と、補助記憶装置６４と、メモリ装置６５と、演算処理装置（ＣＰＵ）６６と、ネットワーク接続装置６７と、記録媒体６８とを有するように構成される。
【００５７】
入力装置６１は、ユーザが操作するキーボード、マウス等のポインティングデバイスや、ユーザが操作するタッチパネル等からなり、ユーザからのコンテンツ再生プログラムの実行等、様々な操作指示を入力するために用いられる。
【００５８】
出力装置６２は、本発明における処理を行うためのコンピュータ本体を操作するのに必要な各種ウィンドウやデータ等を表示するディスプレイ等を有し、ＣＰＵ６６が有する制御プログラムによりコンテンツ再生プログラム等の実行経過や結果等を表示する。
【００５９】
コンテンツ再生プログラム等の実行プログラムは、ＣＤ−ＲＯＭ等の記録媒体６８によって提供される。記録媒体６８は、ドライブ装置６３にセットされ、記録媒体６８に含まれる実行プログラムは、記録媒体６８からドライブ装置６３を介して補助記憶装置６４にインストールされる。
【００６０】
なお、プログラムを記録した記録媒体６８は、ＣＤ−ＲＯＭ、フレキシブルディスク、光磁気ディスク（ＭＯ）等の様に情報を光学的、電気的或いは磁気的に記録する記録媒体、又はＲＯＭ、フラッシュメモリ等の様に情報を電気的に記録する半導体メモリ等、様々なタイプの記録媒体を用いることが可能である。
【００６１】
補助記憶装置６４は、ハードディスク等のストレージ手段であり、コンテンツ再生プログラム等の実行プログラムや、コンピュータに設けられた制御プログラム、そのプログラムの処理に必要な各種ファイル、各種データ等を蓄積し、必要に応じて入出力を行う。
【００６２】
メモリ装置６５は、ＣＰＵ６６により補助記憶装置２４から読み出された実行プログラム等を格納する。なお、メモリ装置６５は、ＲＯＭやＲＡＭ等からなる。
【００６３】
ＣＰＵ６６は、ＯＳ等の制御プログラム、メモリ装置６５に格納されているコンテンツ再生プログラム等の実行プログラムに基づいて、各種演算や各ハードウェア構成部とのデータの入出力等、コンピュータ全体の処理を制御して各処理を実現する。また、プログラムの実行中に必要な各種情報は、補助記憶装置６４から取得し、また格納する。
【００６４】
ネットワーク接続装置６７は、通信ネットワークやケーブル等で接続されている他の端末装置等とのデータの送受信を行う。具体的には、ネットワーク接続装置６７は、他の端末装置等から、コンテンツ再生プログラム等の実行プログラムを取得したり、プログラムを実行することで得られた実行結果又はコンテンツ再生プログラム等の実行プログラム自体を他の端末装置に提供したりする。
【００６５】
本実施形態では、上述したハードウェア構成により、特別な構成を必要とせず、低コストで効率的にコンテンツ再生処理を実現することができる。また、プログラムをインストールすることにより本実施形態に係るコンテンツ再生処理を容易に実現することができる。
【００６６】
＜本実施形態に係るコンテンツ再生処理＞
次に、図４を用いて、本実施形態に係るコンテンツ再生処理について説明する。図４は、本実施形態に係るコンテンツ再生処理の流れを示すフローチャートである。
【００６７】
図４に示すように、ユーザが例えば端末装置３０〜３３のメニュー画面等から施術条件を入力すると、施術内容設定手段５３は、ユーザが入力した施術条件に基づいて施術内容を設定する（Ｓ１０）。例えば、ユーザが入力する施術条件とは、ユーザが所望するイオン導入、ＥＭＳ（Ｅｌｅｃｔｒｉｃａｌ  Ｍｕｓｃｌｅ  Ｓｔｉｍｕｌａｔｉｏｎ）、低周波治療等の美容施術の内容、ユーザの肌の状態（例えば皮膚抵抗、皮膚のキャパシタンス等）、薬剤に対応する極性等である。
【００６８】
次に、コンテンツファイル取得手段５４は、Ｓ１０の処理で設定された施術内容に対応するコンテンツファイルが記録手段５２に存在するか否か判断する（Ｓ１１）。
【００６９】
コンテンツファイル取得手段５４は、施術内容に対応するコンテンツファイルが記録手段５２に存在しないと判断すると（Ｓ１１において、ＮＯ）、コンテンツ提供サーバ２０から施術内容に対応するコンテンツファイルを取得（ダウンロード）する（Ｓ１２）。
【００７０】
なお、コンテンツファイル取得手段５４は、施術内容に対応するコンテンツファイルが記録手段５２に存在すると判断すると（Ｓ１１において、ＹＥＳ）、記録手段５２から対応するコンテンツファイルを取得する。
【００７１】
次に、ファイル変換手段５５は、コンテンツファイル取得手段５４によって取得されたコンテンツファイルがオーディオファイルか否か判断する（Ｓ１３）。
【００７２】
ファイル変換手段５５は、取得されたコンテンツファイルがオーディオファイルではないと判断した場合（Ｓ１３において、ＮＯ）、取得されたコンテンツファイルをオーディオファイルに変換する（Ｓ１４）。
【００７３】
なお、ファイル変換手段５５は、取得されたコンテンツファイルがオーディオファイルであると判断した場合（Ｓ１３において、ＹＥＳ）、編集・出力手段５６は、オーディオファイルを再生、出力することにより、設定された施術内容を実行する（Ｓ１５）。
【００７４】
次に、施術内容設定手段５３は、ユーザが他の施術を行うか否か判断し（Ｓ１６）、例えばユーザによりメニューボタン等が入力された場合には、他の施術を行うと判断して（Ｓ１６において、ＹＥＳ）、Ｓ１０の処理に戻る。ユーザにより終了ボタンが選択された場合には、他の施術を行わないと判断して（Ｓ１６において、ＮＯ）、処理を終了する。
【００７５】
＜美容機器の一例＞
次に、図５を用いて、コンテンツ再生装置である端末装置３０に接続された美容機器の一例について説明する。図５は、コンテンツ再生装置に接続された美容機器の一例を示す図である。
【００７６】
図５（Ａ）に示すように、例えば端末装置３０は、装置本体３０Ａと、美容機器３０Ｂとを有するように構成される。美容機器３０Ｂは、ユーザの肌に直接貼り付ける電極シート部分と、端末装置３０と電気的に接続するためのステレオプラグ付のオーディオケーブル部分とからなり、ステレオプラグが装置本体３０Ａのイヤホン端子（オーディオ端子）に接続された状態で用いられる。
【００７７】
なお、装置本体３０ＡのＤｏｃｋ端子あるいはＵＳＢ端子等に、美容機器３０Ｂを接続する場合には、それぞれの端子に合わせたプラグが用いられる。
【００７８】
また、図５（Ｂ）に示すように、美容機器３０Ｂの電極シート部分は、電極３０Ｂ−１と、基剤となる薬剤入りのゲル３０Ｂ−２とから構成される。ここで、薬剤入りのゲル３０Ｂ−２は、電極３０Ｂ−１のユーザの肌に接触する側に取り外し可能な状態で取り付けられる。
【００７９】
具体的には、図５（Ｃ）に示すように、例えば美容施術としてイオン導入を行う場合、ユーザの頬等に、美容機器３０Ｂの薬剤入りのゲル３０Ｂ−２が直接貼付される。
【００８０】
ここで、薬剤入りのゲル３０Ｂ−２に含まれている水溶性の有効成分が、電極３０Ｂ−１間を流れる微弱な電流による電荷反発によって浸透促進されることにより、ユーザへのイオン導入が行われる。
【００８１】
なお、薬剤入りのゲル３０Ｂ−２の代わりに、例えば化粧料や美容液等を浸み込ませた不織布や市販されている全顔マスクや部分用マスク等を用いても良い。
【００８２】
また、美容施術として、上述した電気的刺激により筋肉を鍛え、たるみ等に効果があるＥＭＳや、低周波治療を行う場合には、電極３０Ｂ−１に通電性のゲルを貼付して施術を行うことが可能である。
【００８３】
＜美容施術のための電気信号＞
次に、図６を用いて、美容施術のための電気信号について説明する。図６は、美容施術のための電気信号を説明するための図である。
【００８４】
図６（Ａ）に示すように、通常、イヤホンは、端末装置３０等のオーディオ端子に接続され、オーディオファイルから出力される電気信号を音声信号に変換している。本実施形態では、このようにイヤホンへ流れる電気信号を利用して、例えばイオン導入等の美容施術を行う。
【００８５】
具体的には、図６（Ｂ）に示すように、美容機器３０Ｂのオーディオケーブルを端末装置３０等のオーディオ端子に接続すると、オーディオケーブルにはオーディオファイルから出力されるＬ信号又はＲ信号の電気信号が流れる。この電気信号は、オーディオケーブルの先端部に接続された電極３０Ｂ−１から出力される。本実施形態では、オーディオファイルから出力されるＧＮＤ電位に対するＬ信号又はＲ信号を美容施術のための電気信号として利用し、イオン導入等を行う。
【００８６】
＜オーディオファイルの出力信号について＞
次に、図７を用いて、上述した美容施術のための電気信号を出力するオーディオファイルについて説明する。図７は、オーディオファイルの出力信号について説明するための図である。
【００８７】
図７（Ａ）に示すように、例えば美容クリニック等のイオン導入の施術で用いられる波形は、通常、周波数が３［ｋＨｚ］、Ｄｕｔｙ比０．５のパルス直流型である。
【００８８】
そこで、本実施形態では、図７（Ａ）に示す波形を、例えば図７（Ｂ）に示すオーディオファイルとして作成する。
【００８９】
また、図７（Ｃ）は、オーディオファイルによって作成されたＬ信号又はＲ信号の波形の一例を示したものである。本実施形態では、上述した波形を有するオーディオファイルを端末装置３０等において再生することにより、美容機器３０Ｂの電極３０Ｂ−１に、図７（Ｃ）に示す波形をＲ信号又はＬ信号として出力する。
【００９０】
本実施形態では、このようにオーディオファイルを用いることにより、美容施術に用いられる波形の作成及び制御を行うことが可能となるため、施術内容、ユーザの条件、薬剤の極性等に応じて簡単に波形を変更、調整することが可能となる。
【００９１】
＜オーディオファイルの作成手順＞
次に、図８を用いて、上述した波形を有するオーディオファイルのＬ信号又はＲ信号の作成手順について説明する。図８は、オーディオファイルの作成手順の一例を説明するための図である。本実施形態では、例えば「ＹＡＭＡＨＡ  Ｗａｖｅ  Ｅｄｉｔｏｒ  ＴＷＥ  Ｖ２．３．１」を用いて、美容施術の内容に対応するオーディオファイルを作成している。
【００９２】
上述したように、例えばイオン導入に適したオーディオファイルのＬ信号又はＲ信号の波形は、周波数が数ｋＨｚの直流矩形波である。一方、図８（Ａ）に示すように、通常、「ＹＡＭＡＨＡ  Ｗａｖｅ  Ｅｄｉｔｏｒ  ＴＷＥ  Ｖ２．３．１」を用いて作成される矩形波は、交流矩形波である。
【００９３】
そこで、上述した直流矩形波を作成するため、図８（Ａ）に示すような、例えば３ｋＨｚ等の所定周波数の矩形波を作成した後、例えば１Ｈｚ等の低周波の矩形波を作成して、３ｋＨｚで作成した矩形波と、１Ｈｚで作成した矩形波を足し合わせる。
【００９４】
この操作によって、図８（Ｂ）に示すように、例えば３ｋＨｚの直流矩形波が、１Ｈｚの周波数でプラスマイナスを切り替える波形が作成される。
【００９５】
次に、図８（Ｂ）の波形の中で、プラス側（あるいはマイナス側）の直流矩形波の部分を切り取る。また、切り取った直流矩形波を所定回数、繰り返したファイルを作成する。これにより、図８（Ｃ）に示すように、所定回数、直流矩形波が繰り返されるファイルが出力信号として作成される。
【００９６】
なお、本実施形態では、図８（Ｃ）に示す直流矩形波が作成されたオーディオファイルの長さは、例えば１０〜３０［ｍｉｎ］等の通常イオン導入で用いられている施術時間に自由に設定する。この場合、例えば長めに作成したオーディオファイルを施術の途中で切るような設定としても良く、短く作成したオーディオファイルを繰り返し再生しても良い。
【００９７】
また、本実施形態では、図８（Ｃ）に示す直流矩形波を有するオーディオファイルを、ｗａｖファイルにより作成したが、「ＹＡＭＡＨＡ  Ｗａｖｅ  Ｅｄｉｔｏｒ  ＴＷＥ  Ｖ２．３．１」以外にも、「ＳＯＵＮＤ  ＦＯＲＧＥ  ＡＵＤＩＯ  ＳＴＵＤＩＯ（ＳＯＮＹ）」、「ＳＯＵＮＤ  ＩＴ！」、「ＳＯＵＮＤ  ＢＯＯＴＨ（登録商標）  ＣＳ４（Ａｄｏｂｅ）」等の波形編集用のソフトウェアを用いて同様のｗａｖファイルを作成することができる。
【００９８】
また、施術内容に応じて、例えばｃｓｖデータやｔｘｔデータ等を用いて作成したテキストデータを、公知のファイル変換ソフトウェア等を用いて、例えばｗａｖファイル等のオーディオファイルに変換して用いることも可能である。
【００９９】
なお、オーディオファイルで作成される波形は、上述した直流矩形波に限定されず、例えば交流矩形波、サイン波等であっても良い。
【０１００】
＜編集・出力手段５６について＞
次に、図９を用いて、上述のように作成された美容施術のためのオーディオファイルを編集・出力する編集・出力手段５６について説明する。図９は、画面生成手段により生成された端末装置の表示画面の一例を示す図である。
【０１０１】
図９に示すように、画面生成手段５８は、例えば音楽再生画面で表示される音楽再生機能を用いて、イオン導入等の美容施術のための施術表示画面を生成することができる。
【０１０２】
例えば、画面生成手段５８は、図９の矢印Ａに示すオーディオファイルの繰り返しや長さを調整する機能や、図９の矢印Ｂに示すオーディオファイルを再生又は停止させる機能や、図９の矢印Ｃに示すオーディオファイルの出力強度を調整する機能を表示する画面を生成する。
【０１０３】
編集・出力手段５６は、ユーザ等が上述した画面を用いて、例えばオーディオファイルの繰り返しや長さを変更した場合、再生中のオーディオファイルの繰り返し、長さ等を調整して、出力する。また、編集・出力手段５６は、ユーザ等が、例えばオーディオファイルの再生又は停止を行った場合、対象となるオーディオファイルの再生又は停止を行う。このようにして、オーディオファイルの再生時間等を変更することが可能となる。
【０１０４】
また、編集・出力手段５６は、ユーザ等が、例えばオーディオファイルの出力強度の調整、変更を行った場合には、再生中のオーディオファイルの出力強度（電気の大きさ）を編集して、出力することもできる。
【０１０５】
なお、本実施形態におけるオーディオファイルの編集とは、上述した電流の波形の振幅、周波数、極性等を変更、調整するような編集等を含む。ここで、波形の振幅や周波数を調整する場合には、既存の音声再生機能を用いて、例えば音量（ボリューム）の強弱を調整するように、波形の振幅を変更してオーディオファイルの出力強度の調整を行っても良く、また音の高低を調整するように周波数を制御してオーディオファイルの再生速度等の調整を行っても良い。なお、本発明においてはこれに限定されるものではなく、専用の各種変更調整機能を設けても良い。
【０１０６】
また、波形の極性を変更する場合には、予めプラス及びマイナスの極性を有するオーディオファイルを記録手段５２等に保存しておき、導入したい薬剤の極性に対応したオーディオファイルを選択することで、変更しても良い。
【０１０７】
本実施形態では、図９に示す画面に各種変更機能を設けて、上述した薬剤に対応させた極性の変更を含む波形の変更や、再生出力されるオーディオファイルの数、複数のオーディオファイルの再生出力順序、施術内容の変更、用途の異なる複数のオーディオファイルの組み合わせの変更等を含めたオーディオファイルの編集を行うことも可能である。
【０１０８】
上述したように、本実施形態では、編集・出力手段５６によってオーディオファイルを制御することで、施術内容を容易に調整、制御することが可能となる。
【０１０９】
＜定電圧によるイオン導入の実験＞
次に、図１０及び図１１を用いて、本実施形態のコンテンツ再生装置により定電圧にてイオン導入を行った場合の実験とその結果について説明する。図１０は、ｉｎ  ｖｉｔｒｏによるイオン導入実験の概略を示す図である。また、図１１は、プラスイオンに調整されたトラネキサム酸（ＴＡ）の累積透過量及び皮内濃度を示す図である。
【０１１０】
実験では、イオン導入実験装置にフランツセル、電源に本実施形態のコンテンツ再生装置としてのＰＣ等の端末装置３２、コンテンツ再生アプリケーションにＷｉｎｄｏｗｓ（登録商標）  Ｍｅｄｉａ  Ｐｌａｙｅｒ、１．８Ｖの定電圧を出力する本実施形態のコンテンツ再生プログラムを用いる。
【０１１１】
また、プラス電極にＡｇ電極、マイナス電極にＡｇＣｌ電極を用いて、トラネキサム酸溶液をドナー液とし、リン酸緩衝生理食塩水（ｐＨ７．４）をレシーバー液として用いる。
【０１１２】
図１０に示すように、予め３７［℃］に保温したセルにラボスキン（市販のヘアレスマウス摘出皮膚）を挟み、真皮層側のセルにレシーバー液７．５［ｍｌ］、角質層側のセルにドナー液１［ｍｌ］を添加する。プラス極を導入極とし、ドナー液側にＡｇ電極、レシーバー液側にＡｇＣｌ電極を用いて、上述したコンテンツ再生プログラムを３０分間再生し、１．８Ｖの定電圧を印加する。また、比較のため、電流を流さない場合（通常塗布、Ｐａｓｓ）についても同様に実験する。
【０１１３】
実験では、レシーバー液中のトラネキサム酸の濃度をＬＣ−ＭＳによる微量定量法を用いて測定し、累積透過量を求める。ここで、累積透過量は、一定面積あたりの薬物の皮膚透過量［μｇ／ｃｍ２］と定義する。
【０１１４】
また、実験では、セルに挟んだヘアレスマウス皮膚におけるトラネキサム酸の皮内濃度として、角層・表皮内濃度、及び真皮内濃度を求める。
【０１１５】
図１１（Ａ）は、時間経過に対するトラネキサム酸の累積透過量を示し、図１１（Ｂ）、図１１（Ｃ）は、それぞれトラネキサム酸の皮内濃度（角層・表皮濃度、及び真皮濃度［μｇ／ｃｍ２］）を示す。
【０１１６】
なお、図１１は、いずれもトラネキサム酸（ＴＡ）２［％］、ｐＨ５．１でプラス極側から導入した場合の皮内濃度の平均値±ＳＤ（ｎ＝３）を示している。また、図１１に示すＰＣは、上述したように、コンテンツ再生装置としてＰＣによりイオン導入した皮膚を示し、Ｐａｓｓは、電流を流さないＰａｓｓ状態の皮膚を示す。
【０１１７】
図１１（Ａ）に示すように、トラネキサム酸の累積透過量は、ＰＣによるイオン導入の場合とＰａｓｓの場合とを比較すると、ＰＣによるイオン導入の場合の方が、時間経過に応じて累積透過量が高くなっている。
【０１１８】
また、図１１（Ｂ）に示すように、角層・表皮内のトラネキサム酸の濃度は、ＰＣのイオン導入の場合の方が、Ｐａｓｓの場合と比較して高く、図１１（Ｃ）に示すように、真皮内のトラネキサム酸の濃度も、ＰＣのイオン導入の方が、Ｐａｓｓの場合と比較して非常に高くなっている。
【０１１９】
＜昇圧・定電流装置を設けた場合＞
次に、図１２〜図１５を用いて、本実施形態のコンテンツ再生装置に、昇圧・定電流装置を設けて、イオン導入を行う場合について説明する。図１２は、昇圧・定電流装置を設けたイオン導入実験の概略を示す図である。なお、図１２（Ａ）は、人の前腕部分（ヒト前腕）に対してイオン導入を行う場合の概略図を示し、図１２（Ｂ）は、図１２（Ａ）におけるカーボンシート電極、薬液含浸不織布、及びヒト前腕の関係を示している。
【０１２０】
図１２（Ａ）及び図１２（Ｂ）に示すように、コンテンツ再生装置としての端末装置３０は、例えばＬ信号又はＲ信号を出力し、出力した信号は、オーディオケーブル等を介して昇圧・定電流装置７０に出力される。また、昇圧・定電流装置７０から出力される信号は、オーディオケーブル等を介して、それぞれカーボンシート電極（プラス）とカーボンシート電極（マイナス）に出力される。なお、昇圧・定電流装置７０については後述する。
【０１２１】
人の前腕部分は、石鹸等で１回洗浄し、１分間静置した後、薬液が浸透した不織布（薬液含浸不織布）を乗せ、更に、薬液含浸不織布上に、カーボンシート電極（プラス）及びカーボンシート電極（マイナス）を配置したものとする。なお、薬液は、例えば、トラネキサム酸（ＴＡ）を約２［％］配合し、ｐｈ５．０に調整したものとする。
【０１２２】
端末装置３０は、周波数３［ｋＨｚ］の交流矩形波を出力し、昇圧・定電流装置７０により、約１５分間、例えば２５０［μＡ］の定電流を出力する。その後、前腕部分を石鹸等で１回洗浄し、角層サンプルを取得する。なお、比較のため、電流を印加せず、上述した薬液を含浸させた不織布を配置したＰａｓｓの状態の皮膚の角層サンプルも取得する。
【０１２３】
図１３は、トラネキサム酸（ＴＡ）の角層内濃度を示す図である。なお、横軸は、電流を印加しなかったＰａｓｓの状態の皮膚の角層サンプルと、プラス極性の電流が印加された皮膚の角層サンプルと、マイナス極性の電流が印加された皮膚の角層サンプルとを示し、縦軸は、角層内トラネキサム酸（ＴＡ）の濃度［μｇ／ｃｍ２］を示している。
【０１２４】
図１３に示すように、プラス極の角層サンプル内及びマイナス極の角層サンプル内のトラネキサム酸の濃度は、Ｐａｓｓ状態の角層サンプルの濃度よりも上昇している。
【０１２５】
なお、図１４は、昇圧・定電流装置を用いてイオン導入を実施する場合のイメージ図である。図１４に示すように、人の顔に対してイオン導入を行う場合には、例えば美容液を浸透させたマスクに、マイナスを印加する電極とプラスを印加する電極を添付する。
【０１２６】
また、マスクに添付する電極は、昇圧・定電流装置７０を介して、端末装置３０と接続する。このようにして、昇圧・定電流装置７０を設けたコンテンツ再生装置により、イオン導入を実施することが可能となる。
【０１２７】
図１５は、端末装置から出力される波形信号を昇圧及び定電流化する昇圧・定電流装置の一例を示す図である。図１５に示すように、昇圧・定電流装置７０は、昇圧回路７１と定電流回路７２とを有するように構成される。
【０１２８】
昇圧回路７１は、前段昇圧トランス回路７３と、後段昇圧トランス回路７４と、正電圧全波倍電圧整流・平滑及び電圧制限回路７５と、後段昇圧トランス（負電圧）回路７６と、負電圧半波整流・平滑及び電圧制限回路７７と、共振抑制回路７８と、負側波形カット回路７９とを有するように構成される。
【０１２９】
昇圧回路７１には、入力部の４ピンから、図１５（Ａ）に示す信号波形（例えば±０．５［Ｖ］の交流矩形波）が入力される。図１５（Ａ）に示す信号波形は、前段昇圧トランス回路７３と、共振抑制波形７８とに、分岐されて入力される。
【０１３０】
前段昇圧トランス回路７３は、入力された信号波形の電圧を昇圧トランスにより、例えば１．５［Ｖ］まで昇圧する。後段昇圧トランス回路７４は、前段昇圧トランス回路７３から出力された信号波形の電圧を昇圧トランスにより、例えば４．５［Ｖ］まで昇圧する。
【０１３１】
正電圧全波倍電圧整流・平滑及び電圧制限回路７５は、後段昇圧トランス回路７４から出力された信号波形の正電圧を、全波整流して倍電圧化（例えば９．０［Ｖ］）し、倍電圧化した電圧を整流した後、整流した電圧を平滑化し、平滑化した電圧に制限をかけて、例えば９［Ｖ］とする。
【０１３２】
後段昇圧トランス（負電圧）回路７６は、前段昇圧トラン回路７４から出力された信号波形の電圧を昇圧トランスにより、例えば２．５［Ｖ］まで昇圧する。
【０１３３】
負電圧半波整流・平滑及び電圧制限回路７７は、後段昇圧トランス(負電圧)回路から出力された信号波形の負電圧を、半端整流して平滑化し、平滑化した電圧に制限をかけ、例えば−２．４［Ｖ］とする。
【０１３４】
共振抑制回路７８は、入力された信号波形の共振を抑制し、負側波形カット回路７９は、共振抑制回路７８から出力された信号波形から、出力電流波形を制御するための信号を取り出し、負側波形をカットする。負側波形カット回路７９は、例えば図１５（Ｂ）に示す信号波形（例えば＋０．５［Ｖ］の信号波形）を出力する。
【０１３５】
定電流回路７２は、オペアンプ８０とトランジスタ８１とを有するように構成される。昇圧回路７１の負側波形カット回路７９から出力された信号波形は、正側入力波形と相似するよう出力電流を設定する設定回路を介して、定電流回路７２に入力する。定電流回路７２に入力した信号波形は、オペアンプ８０の非反転入力端子に入力される。オペアンプ８０の反転入力端子には、出力部の３ピンから入力されたリターン信号が入力される。
【０１３６】
オペアンプ８０は、例えば図１５（Ｃ）に示す信号波形を出力する。オペアンプ８０から出力された信号波形は、トランジスタ８１のベースに入力され、トランジスタ８１のエミッタ側に設けられた抵抗を介し、出力部の５ピンから出力される。出力部の５ピンからは、例えば図１５（Ｄ）に示す信号波形（例えば＋９［Ｖ］の信号波形）が出力される。
【０１３７】
上述したように、入力される波形（オーディオファイルの波形）を昇圧及び定電流化する昇圧・定電流装置７０を設ける。これにより、電圧を昇圧してイオン導入による効果を向上させることが可能となると共に、出力される電流値が一定となることにより、イオン導入による皮膚への安全性をより高めことが可能となる。
【０１３８】
＜イヤホン端子に美容機器３０Ｂを設けた場合＞
ここで、図１６を用いて、本実施形態のコンテンツ再生装置としての端末装置３０のイヤホン端子に、例えば図６に示す美容機器３０Ｂ−１を設けて実施したイオン導入の結果について説明する。図１６は、イヤホン端子に美容機器を設けて実施したイオン導入の結果を示す図である。
【０１３９】
なお、図６に示す電極３０Ｂ−１は、例えばカーボンシート電極を用いるものとし、イヤホン端子と電極３０Ｂ−１とは、オーディオケーブル等により接続したものを用いるものとする。また、電極３０Ｂ−１は、薬液を含浸させた不織布を介して人の顔（頬等の皮膚）上に配置する。なお、薬液は、例えば、マイナスイオンとなる４ＭＳＫ（４−メトキシサリチル酸カリウム塩）を約１［％］配合し、ｐｈ６．０に調整したものである。
【０１４０】
端末装置３０は、周波数１［Ｈｚ］の交流を出力し、約±１．９［Ｖ］となる電圧を約１０分間印加する。その後、石鹸等で１回顔を洗浄し、角層サンプルを取得する。なお、比較のため、電流を印加せず、薬液を含浸させた不織布を人の顔に配置して、Ｐａｓｓ状態の角層サンプルを取得する。
【０１４１】
図１６（Ａ）は、上述した方法によりイオン導入を行った皮膚のテープストリップ回数と薬液濃度との関係を示す図である。なお、横軸は、テープストリップ回数を示し、縦軸は、４ＭＳＫの濃度［μｇ／ｃｍ２］を示している。ここで、テープストリップ回数とは、その回数を変えることにより、皮膚表面から異なる深さの皮膚状態を得ることができる手法である。
【０１４２】
また、図１６（Ａ）に示すプラス／マイナスは、電極にプラス極から開始した交流を印加した角層サンプル内の濃度を示し、マイナス／プラスは、電極にマイナス極から開始した交流を印加した角層サンプル内の濃度を示し、Ｐａｓｓは、電極を印加した角層サンプル内の濃度と、Ｐａｓｓ状態の角層サンプル内の濃度を示している。
【０１４３】
図１６（Ａ）に示すように、プラス／マイナス及びマイナス／プラスの交流を印加した角層サンプル内の濃度は、テープストリップ回数１〜３に示す皮膚表面に近いほど、Ｐａｓｓ状態の角層サンプル内の濃度と比較して上昇している。
【０１４４】
図１６（Ｂ）は、４ＭＳＫの角層内濃度を示す図である。なお、横軸は、プラス／マイナスの交流が印加された皮膚と、マイナス／プラスの交流が印加された皮膚と、Ｐａｓｓ状態の皮膚とを示し、縦軸は、角層内４ＭＳＫの濃度［μｇ／ｃｍ２］を示している。
【０１４５】
図１６（Ｂ）に示すように、プラス／マイナスの交流が印加された皮膚及びマイナス／プラスの交流が印加された皮膚の４ＭＳＫの濃度は、Ｐａｓｓ状態の皮膚の濃度よりも上昇している。
【０１４６】
＜コンテンツ再生装置のＤｏｃｋ端子を用いた実施例＞
次に、図１７を用いて、本実施形態のコンテンツ再生装置にＤｏｃｋ端子が設けられている場合の実施例について説明する。図１７は、Ｄｏｃｋ端子を用いた実施例を示す図である。なお、図１７（Ａ）は、コンテンツ再生装置のＤｏｃｋ端子を用いたイオン導入の実験方法の概要を示し、図１７（Ｂ）は、図１７（Ａ）におけるカーボンシート電極、薬液含浸不織布、食用ブタ皮膚、ＰＢＳ含浸布、及びカーボン棒電極の位置関係を示している。また、図１７（Ｃ）は、図１７（Ａ）に示す実験結果の一例を示す図である。
【０１４７】
図１７（Ａ）及び図１７（Ｂ）に示すように、例えばＰＢＳ（リン酸緩衝生理食塩水）を含浸させた布（ＰＢＳ含浸布）上に、水で１回洗浄した食用ブタの皮膚を配置する。また、食用ブタの皮膚上には、薬液を含浸させた不織布（薬液含浸不織布）を配置したもの（図１７（Ａ）に示すＰａｓｓ）及び、薬液含浸不織布の上に、カーボンシート電極を配置したものを用意する。更に、カーボンシート電極の対極としてカーボン棒電極を、ＰＢＳ含浸布の中に設置する。
【０１４８】
図１７（Ａ）に示すカーボンシート電極及びカーボン棒電極は、図１７（Ｂ）に示すＤｏｃｋコネクタを介して、端末装置３０のＤｏｃｋ端子に接続される。ここで、カーボンシート電極には、例えばＬ信号又はＲ信号が供給され、カーボン棒電極には、ＧＮＤ電位が供給される。なお、カーボン棒電極には、カーボンシート電極に供給されるＬ信号又はＲ信号と逆相の信号を供給しても良い。また、薬液は、例えばＦｌｕｏｒｅｓｃｅｉｎ  Ｎａを、約０．１［％］配合し、ｐＨ６．０に調整したものである。
【０１４９】
次に、端末装置３０から、周波数１［Ｈｚ］の交流を出力し、約±１．９［Ｖ］の電圧を約１０分間印加する。その後、食用ブタの皮膚を１回洗浄し、ＵＶランプを照射して外観を撮影する。
【０１５０】
図１７（Ｂ）に示すように、図１７（Ａ）に示すマイナス極からの交流を印加した皮膚は、Ｐａｓｓ状態の皮膚と比較して、局所的に薬液の浸透が上昇している。
【０１５１】
＜イオン導入と同時に音楽を再生する方法＞
次に、図１８を用いて、本実施形態のコンテンツ再生装置を用いてイオン導入すると同時に音楽を再生する方法について説明する。図１８は、イオン導入施術と同時に音楽を再生する方法を説明するための図である。すなわち、本実施形態におけるイオン導入は、音楽再生可能な装置に適用することができるため、イオン導入と同時に音楽を再生することが可能である。
【０１５２】
具体的には、図１８（Ａ）に示すように、イヤホン（スピーカ）に電極を設けたものを用いる。また、本実施形態では、図１８（Ｂ）に示すようなイオン導入用の波形（ＩＰ波形）に対し、図１８（Ｃ）に示すような楽曲の波形を合成することにより、図１８（Ｄ）に示すような合成波形を生成する。これにより、例えば、図１８（Ｅ）に示すような波形を出力することが可能となる。
【０１５３】
なお、図１８（Ｂ）に示すようなイオン導入用の波形は、例えば１［Ｈｚ］程度の人間の可聴領域以下の周波数とすると良い。
【０１５４】
イオン導入の施術を受ける場合、図１８（Ｅ）に示すような波形を用いることにより、施術者は、イヤホンから音楽を聴きながら、イオン導入を行うことが可能となる。
【０１５５】
なお、音の合成は、通常の音合成手法（アプリケーション）等を用いて行うことができるため、ここでの詳しい説明は省略するが、例えば図１８（Ｂ）に示すようなイオン導入用波形の振幅と、図１８（Ｃ）に示すような楽曲の波形の振幅との割合を適切に制御して、イオン導入の出力と音楽の音量とを最適化した波形を用いると良い。
【０１５６】
本実施形態において合成される楽曲は、施術者が選択することもでき、イオン導入の波形内容や施術内容、施術時間に基づいて、予め登録されている曲の中から選択されるようにしても良い。また、楽曲の代わりに、音声案内の波形を用いることにより、施術内容を案内させても良い。
【０１５７】
上述したように、本実施形態によれば、一般に普及しているコンテンツ再生装置を利用して、より簡単に美容施術を行うことが可能となる。また、一般に普及しているコンテンツ再生装置の音楽再生機能を利用することにより、コストを抑えて美容施術を行うことが可能となる。また、オーディオファイルによって美容施術に用いる出力信号を制御することが可能であるため、施術内容やユーザの状態等に応じて簡便にその波形を変更、調整することが可能である。
【０１５８】
また、本実施形態で用いられるコンテンツファイルは、例えば美容施術の用途別やユーザ別に取得することができ、上述したような施術内容、ユーザ診断により得られた皮膚抵抗、薬剤の極性等により適宜選択することができる。このコンテンンツファイルは、端末装置がインターネットに接続できる装置であれば、所定のサイトからダウンロードすることができ、インターネットに接続できない装置（例えば、ｉＰｏｄやゲーム機等）であれば、インターネットに接続可能なＰＣによりインストールした後、そのＰＣにケーブル接続して取得したり、ＣＤやＤＶＤ、ＵＳＢ、ＳＤカード等の記録媒体を介して取得したりする。
【０１５９】
なお、上述したコンテンツ再生プログラムは、アプリケーションとしても提供することができ、例えばアプリケーション機能として、コンテンツデータをダウンロードするダウンロード機能、ダウンロードしたコンテンツデータを再生する再生機能、美容施術内容を選択する選択機能、美容施術についてのカウンセリングを行うカウンセリング機能、ユーザの肌状態を測定する測定機能、その他の画像表示機能（例えば、使用方法、使用上の注意薬剤の効果の表示）等、本発明を実施するために必要な各種機能をアプリケーションとして、アプリケーションが利用できる装置（例えば、ＰＣやスマートフォン等）に提供することができる。また、コンテンツ再生プログラムは、アプリケーションを利用できない装置（例えば、ｉＰｏｄ等の音楽プレーヤ）でも利用可能である。
【０１６０】
更に、例えばコンテンツ再生装置からの電源を利用することにより、コンテンツ再生装置を、上述した美容施術の他、温冷機器、ＬＥＤ（Ｌｉｇｈｔ  Ｅｍｉｔｔｉｎｇ  Ｄｉｏｄｅ）治療機器、振動機器、肌診断装置として利用したり、上述したコンテンツ再生装置のオーディオ端子を用いる他、専用のプラグ端子を設けることにより、例えば美容機器等を接続させても良い。
【０１６１】
以上、本発明の好ましい実施例について詳述したが、本発明に係る特定の実施形態に限定されるものではなく、特許請求の範囲に記載された本発明の要旨の範囲内において、種々の変形、変更が可能である。
【符号の説明】
【０１６２】
１０  コンテンツ再生システム
２０  コンテンツ提供サーバ
３０〜３３  端末装置
３４  ＰＣ
３０Ｂ  美容機器
３０Ｂ−１  電極
３０Ｂ−２  薬剤入りのゲル
４０  記録媒体
５０  入力手段
５１  出力手段
５２  記録手段
５３  施術内容設定手段
５４  コンテンツファイル取得手段
５５  ファイル変換手段
５６  編集・出力手段
５７  診断手段
５８  画面生成手段
５９  通信インターフェース手段
６０  制御手段
６１  入力装置
６２  出力装置
６３  ドライブ装置
６４  補助記憶装置
６５  メモリ装置
６６  ＣＰＵ
６７  ネットワーク接続装置
６８  補助記憶装置
７０  昇圧・定電流装置
７１  昇圧回路
７２  定電流回路
７３  前段昇圧トランス回路
７４  後段昇圧トランス回路
７５  正電圧全波倍電圧整流・平滑及び電圧制限回路
７６  後段昇圧トランス（負電圧）回路
７７  負電圧半波整流・平滑及び電圧制限回路
７８  共振抑制回路
７９  負側波形カット回路
８０  オペアンプ
８１  トランジスタ
【図１】
0005367800.tif 000002
【図２】
0005367800.tif 000003
【図３】
0005367800.tif 000004
【図４】
0005367800.tif 000005
【図５】
0005367800.tif 000006
【図６】
0005367800.tif 000007
【図７】
0005367800.tif 000008
【図８】
0005367800.tif 000009
【図９】
0005367800.tif 000010
【図１０】
0005367800.tif 000011
【図１１】
0005367800.tif 000012
【図１２】
0005367800.tif 000013
【図１３】
0005367800.tif 000014
【図１４】
0005367800.tif 000015
【図１５】
0005367800.tif 000016
【図１６】
0005367800.tif 000017
【図１７】
0005367800.tif 000018
【図１８】
0005367800.tif 000019